(57)【要約】【課題】  接着剤が透孔側へ流れ、透明部材と台紙が接着されたり、表側と裏側の防湿シートが接着されることなく、乾燥植物を配置している空間を確実に密封できる乾燥植物飾りの製造方法及び乾燥植物飾りを提供すること。【解決手段】  一端部に開口部を有する防湿袋の一側面に乾燥植物を視認できる窓を形成する窓形成工程と、窓形成工程で形成した窓の外側部分にシート状接着部材を環状に固定するシート状接着部材固定工程と、シート状接着部材で、透明部材と前記防湿袋を接着するとともに、シート状接着部材の外周縁部を基準として外側に液状接着剤を環状に塗布し、防湿袋の窓の外周部分と透明部材を接着する接着工程と、窓から乾燥植物が視認できるように防湿袋内に乾燥植物保持部材に保持された乾燥植物を配置し、防湿袋の開口部を密封する密封工程とで構成される。【選択図】  図１
2018167482.tif 000002
【特許請求の範囲】
【請求項１】
一端部に開口部を有する防湿袋の一側面に乾燥植物を視認できる窓を形成する窓形成工程と、該窓形成工程で形成した窓の外側部分にシート状接着部材を環状に固定するシート状接着部材固定工程と、前記シート状接着部材で、透明部材と前記防湿袋を接着するとともに、前記シート状接着部材の外周縁部を基準として外側に液状接着剤を環状に塗布し、前記防湿袋の窓の外周部分と透明部材を接着する接着工程と、前記窓から乾燥植物が視認できるように防湿袋内に乾燥植物保持部材に保持された乾燥植物を配置し、前記防湿袋の開口部を密封する密封工程とで構成される乾燥植物飾りの製造方法。
【請求項２】
一端部に開口部を有する防湿袋の一側面にシート状接着部材を環状に固定するシート状接着部材固定工程と、該シート状接着部材固定工程で固定したシート状接着部材の内側で、かつ、乾燥植物を視認できる位置に窓を形成する窓形成工程と、該窓形成工程で形成した窓の外側部分に前記環状に貼り付けたシート状接着部材で、透明部材と前記防湿袋を接着するとともに、前記シート状接着部材の外周縁部を基準として外側に液状接着剤を環状に塗布し、前記防湿袋の窓の外周部分と透明部材を接着する接着工程と、前記窓から乾燥植物が視認できるように防湿袋内に乾燥植物保持部材に保持された乾燥植物を配置し、前記防湿袋の開口部を密封する密封工程とで構成される乾燥植物飾りの製造方法。
【請求項３】
一端部に開口部を有する防湿袋の一側面に乾燥植物を視認できる窓を形成するために、環状にマーキングを行うマーキング工程と、該マーキング工程でマーキングした部位に前記窓を形成する窓形成工程と、前記マーキング工程でマーキングした部位の外側部分にシート状接着部材を環状に固定するシート状接着部材固定工程と、前記環状に貼り付けたシート状接着部材で、透明部材と前記防湿袋を接着するとともに、前記シート状接着部材の外周縁部を基準として外側に液状接着剤を環状に塗布し、前記防湿袋の窓の外周部分と透明部材を接着する接着工程と、前記窓から乾燥植物が視認できるように防湿袋内に乾燥植物保持部材に保持された乾燥植物を配置し、前記防湿袋の開口部を密封する密封工程とで構成される乾燥植物飾りの製造方法。
【請求項４】
前記接着工程では防湿袋の窓を形成した一側面に前記液状接着剤が塗布されていない非接着部を有するように液状接着剤を塗布することを特徴とする請求項１乃至請求項３のいずれかに記載の乾燥植物飾りの製造方法乾燥植物飾りの製造方法。
【請求項５】
前記密封工程で密封した防湿袋及び透明部材を防湿袋収納具に収納する収納工程を更に行うことを特徴とする請求項１乃至請求項４のいずれかに記載の乾燥植物飾りの製造方法。
【請求項６】
前記乾燥植物保持部材は、台紙であることを特徴とする請求項１乃至請求項５のいずれかに記載の乾燥植物飾りの製造方法。
【請求項７】
前記乾燥植物保持部材は、一側面が開口した箱状の容器であることを特徴とする請求項１乃至請求項５のいずれかに記載の乾燥植物飾りの製造方法。
【請求項８】
前記防湿袋の内部には乾燥剤と脱酸素剤の一方又は両方を備えることを特徴とする請求項１乃至請求項５のいずれかに記載の乾燥植物飾りの製造方法。
【請求項９】
前記密封工程では、防湿袋内の空気を脱気して密封することを特徴とする請求項１乃至請求項８のいずれかに記載の乾燥植物飾りの製造方法。
【請求項１０】
一端部に開口部を有し、一側面に乾燥植物を視認できる窓を備え、かつ、前記開口部が密封された防湿袋と、前記窓の外側部分に環状にシート状接着部材を備えるとともに、該シート状接着部材の外周縁部を基準として外側に液状接着剤が環状に塗布され、前記シート状接着部材及び液状接着剤により前記防湿袋と接着された透明部材と、乾燥植物保持部材に保持され、前記窓から視認できるように前記防湿袋内に配置された乾燥植物とで構成される乾燥植物飾り。
【発明の詳細な説明】
【技術分野】
【０００１】
本発明は押し花等の乾燥植物を防湿袋収納具等に収納した乾燥植物飾りの製造方法及び乾燥植物飾りに関する。
【背景技術】
【０００２】
従来の乾燥植物飾りの製造方法としては、「乾燥花を用いて内箱内に乾燥花絵を作成する乾燥花絵作成工程と、前記内箱の開口端部と位置決め状態で係合する係合枠が一側面の内側面に固定されており、この係合枠内に位置する部位に透孔が形成された防湿袋の透孔を外側面より密封状態で覆うように透孔の周縁部に透明部材を接着固定し、前記乾燥花作成工程で作成した乾燥花絵を収納して、防湿袋の係合枠に内箱の開口端部を係合させる乾燥花絵の収納工程と、この乾燥花絵の収納工程後に内箱内の空気を不活性ガスに置換して、あるいは内箱内に前記乾燥花絵作成工程で収納された脱酸素剤および、該脱酸素剤で酸素を除去した場合に防湿袋内が負圧にならないように空気を充填して防湿袋の開口部を密封する防湿袋の密封工程と、この防湿袋の密封工程後に防湿袋収納具に収納する防湿袋収納具への収納工程とからなる乾燥花絵飾りの製造方法。」（特許文献１）等が知られている。
【０００３】
しかしながら、特許文献１では、防湿袋内を密封するために、透孔（窓）の周囲の全面に接着剤を塗布し、この接着剤によって透明部材を防湿袋に接着しているが、このように接着を行った場合、接着剤が透孔側へ流れ、透明部材と台紙が接着されたり、表側と裏側の防湿シート（防湿袋の表面と裏面）が接着されてしまい、乾燥植物飾りを内部に収納できなくなるおそれがあった。
【先行技術文献】
【特許文献】
【０００４】
【特許文献１】特開２００８−８７４５６号公報
【発明の概要】
【発明が解決しようとする課題】
【０００５】
本発明は以上のような従来の欠点に鑑み、接着剤が透孔側へ流れ、透明部材と台紙が接着されたり、表側と裏側の防湿シートが接着されることなく、乾燥植物を配置している空間を確実に密封できる乾燥植物飾りの製造方法及び乾燥植物飾りを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の乾燥植物飾りの製造方法は、一端部に開口部を有する防湿袋の一側面に乾燥植物を視認できる窓を形成する窓形成工程と、該窓形成工程で形成した窓の外側部分にシート状接着部材を環状に固定するシート状接着部材固定工程と、前記シート状接着部材で、透明部材と前記防湿袋を接着するとともに、前記シート状接着部材の外周縁部を基準として外側に液状接着剤を塗布し、前記防湿袋の窓の外周部分と透明部材を接着する接着工程と、前記窓から乾燥植物が視認できるように防湿袋内に乾燥植物保持部材に保持された乾燥植物を配置し、前記防湿袋の開口部を密封する密封工程とで構成される。
【０００８】
また、本発明の乾燥植物飾りは、一端部に開口部を有し、一側面に乾燥植物を視認できる窓を備え、かつ、前記開口部が密封された防湿袋と、前記窓の外側部分に環状にシート状接着部材を備えるとともに、該シート状接着部材の外周縁部を基準として外側に液状接着剤が環状に塗布され、前記シート状接着部材及び液状接着剤により前記防湿袋と接着された透明部材と、乾燥植物保持部材に保持され、前記窓から視認できるように前記防湿袋内に配置された乾燥植物とで構成される。
【発明の効果】
【０００９】
以上の説明から明らかなように、本発明にあっては次に列挙する効果が得られる。
（１）請求項１、請求項２、請求項５、請求項６及び請求項１０に記載の各発明においては、窓の外側に環状に貼り付けたシート状接着部材で、透明部材と前湿袋を接着するとともに、シート状接着部材の外周部分に液状接着剤を塗布し、防湿袋の窓の外周部分と透明部材を環状に接着するので、確実に接着できると共に、液状接着剤が窓の方向へ流れることを防止することができる。
（２）請求項３に記載の発明においては、前記（１）と同様な効果が得られるとともに、マーキング工程を行うことにより、容易に窓の形成やシート状接着部材の貼付けを行うことができる。
（３）請求項４に記載の発明においては、前記（１）〜（２）と同様な効果が得られると共に、防湿袋の窓を形成した一側面に前記液状接着剤が塗布されていない非接着部を有するので、乾燥植物を密封した後でも、非接着部の一部をハサミ等で開封し、内部の乾燥植物等を入れ替えることができ、開封した非接着部を再度密封することができる。
（４）請求項７に記載の発明においては、前記（１）〜（３）と同様な効果が得られるとともに、立体的に形成した乾燥植物を用いて乾燥植物飾りを製造することができる。
（５）請求項８に記載の発明においては、前記（１）〜（４）と同様な効果が得られるとともに、乾燥植物の変色等を防止することができる。
（６）請求項９に記載の発明においては、前記（１）〜（５）と同様な効果が得られるとともに、より乾燥植物の変色等を防止することができる。
【図面の簡単な説明】
【００１０】
図１乃至図８は本発明の第１の実施形態を示す説明図である。
図９乃至図１２は本発明の第２の実施形態示す説明図である。
【図１】第１の実施形態の乾燥植物飾りの製造方法の工程図。
【図２】マーキング工程、窓作成工程及びシート状接着部材固定工程の説明図。
【図３】接着工程の説明図（１）。
【図４】接着工程の説明図（２）。
【図５】密封工程の説明図。
【図６】乾燥植物及び乾燥植物保持部材の説明図。（ａ）乾燥植物及び乾燥植物保持部材の正面図。（ｂ）乾燥植物及び乾燥植物保持部材の断面図。
【図７】収納工程の説明図。
【図８】第１の実施形態の乾燥植物飾りの説明図。
【図９】本発明を実施するための第２の形態の工程図。
【図１０】乾燥植物及び乾燥植物保持部材の説明図。（ａ）乾燥植物及び乾燥植物保持部材の正面図。（ｂ）乾燥植物及び乾燥植物保持部材のｂ−ｂ線断面図。
【図１１】密封工程の説明図。
【図１２】第２の実施形態の乾燥植物飾りの説明図。
【発明を実施するための形態】
【００１１】
以下、図面に示す本発明を実施するための形態により、本発明を詳細に説明する。
【００１２】
図１乃至図８に示す本発明を実施するための第１の形態において、１は乾燥植物２を用いた乾燥植物飾りの製造方法である。
【００１３】
この乾燥植物飾りの製造方法１は、一端部に開口部３を有する防湿袋４の一側面に乾燥植物２を視認できる窓５を形成するために、環状にマーキング１５を行うマーキング工程２３と、該マーキング工程２３でマーキング１５した部位に前記窓５を形成する窓形成工程７と、前記マーキング工程２３でマーキング１５した部位の外側部分にシート状接着部材６を環状に固定するシート状接着部材固定工程２４と、前記環状に貼り付けたシート状接着部材６で、板状の透明部材８と前記防湿袋４を接着するとともに、前記シート状接着部材６の外周縁部を基準として外側に液状接着剤９を塗布し、前記防湿袋４の窓５の外周部分と透明部材８を環状に接着する接着工程１０と、前記窓５から乾燥植物２が視認できるように防湿袋４内に乾燥植物保持部材１１に保持された乾燥植物２を配置し、前記防湿袋４の開口部３を密封する密封工程１２と、該密封工程１２で密封した防湿袋４を防湿袋収納具１３に収納する収納工程１４とで構成される。
【００１４】
マーキング工程２３では、図２に示すように、まず防湿袋４の窓５を形成する部位にマーキング１５を行う。このマーキング１５は、本実施形態においては、枠状の部材を防湿袋４内に配置し、この枠の内周を指でなぞって跡を付け、その跡をマーキング１５とする。この防湿袋４は、正面視において縦方向に長尺の長方形状に形成されており、この防湿袋４の中央よりも上部側に窓５を形成するためのマーキング１５を行う。
【００１５】
防湿袋４は、本実施形態では表面にアルミニウムを蒸着したアルミ蒸着シートを袋状に形成したものを用いており、一端部（一辺）のみに開口部３が形成されている。
次に、前記マーキング工程２３でマーキング１５した部位をカッターナイフ等で切り抜き、前記窓５を作成する窓形成工程７を行う。この時、防湿袋４の裏面が切れないように（一側面のみに窓５を作成するために）、板状の部材、例えば防湿袋収納具（額縁）１３の裏板等を防湿袋４内に配置し、切り抜くとよい。
【００１６】
次に、マーキング１５した部位の外周部分にシート状接着部材６を環状に貼り付けるシート状接着部材固定工程２４を行う。本実施形態ではシート状接着部材６として両面テープ６を用いており、一回り程度外側に両面テープ６を貼り付けている。
この両面テープ６は帯状であるため、適宜複数本、本実施形態では４本の両面テープ６を用いて方形環状となるようにつなぎ合わせて固定している。
なお、両面テープ６と透明部材８を位置合わせする目的で、透明部材８にペン等で両面テープ６の四隅の位置を記入する等してもよい。
【００１７】
ここでシート状接着部材６とは、帯状又はシート状で表面及び裏面に接着層を有するものをいい、厚さや材料はどのような物を用いてもよい。例えば、本実施形態ではシート状接着部材として帯状の両面テープ６を用いているが、方形状のシートで表面及び裏面に接着層を有するものを用いてもよいし、大きなシート状接着部材を適宜窓５の形状に合わせて切り抜いて使用してもよい。
【００１８】
本実施形態においては、マーキング工程２３の後に窓形成工程７を行い、その後にシート状接着部材固定工程２４を行っているが、窓形成工程７とシート状接着部材固定工程２４はどちらを先に行ってもよい。
【００１９】
接着工程１０では、図３に示すように、まず、両面テープ６の剥離紙６ａを除去し、防湿袋収納具１３の透明部材８を前記両面テープ６により防湿袋４に接着する。この時、防湿袋４にシワができないように指でシート状接着部材６を貼り付けた部位を裏面からなぞり、透明部材８と防湿袋４の間に隙間ができないように接着する。
【００２０】
本実施形態では、透明部材８は防湿袋４よりも縦横の寸法が小さいものを用いており、透明部材８を窓５の部分に重ねた際には、透明部材８の上下左右から防湿袋４がはみ出すような大きさとなっている。
【００２１】
次に、図４に示すように、透明部材８と防湿袋４とを両面テープ６で接着した後、両面テープ６の外周部に液状接着剤９を塗布し、強固に透明部材８と防湿袋４を接着する。この液状接着剤９は防湿性に優れたものが望ましい。
ここで液状接着剤９とは、ゲル状の接着剤も含むものである。
【００２２】
この時、防湿袋４と透明部材８とは両面テープ６によって接着されているので、液状接着剤９が両面テープ６よりも内側へ流入することや、透明部材８の位置がずれることなく、防湿袋４と透明部材８を接着することができる。
また、両面テープ６及び液状接着剤９によって防湿袋４と透明部材８を接着しているので、当該部分に隙間が生じることも防止でき、窓５を通じて外部から空気等が侵入することを確実に防止できる。
【００２３】
この液状接着剤９は、両面テープ６の外周部分のみに環状に塗布されているので、防湿袋４の窓５を有する一側面には、液状接着剤９が塗布されていない非接着部１６を有するように液状接着剤９を塗布する。なお、本実施形態においては、透明部材８よりも防湿袋４が大きいので、透明部材８の全体（両面テープ６より外側の全体）に液状接着剤９を塗布したとしても、非接着部１６を有するが、透明部材８と略同一又は透明部材８よりも小さい防湿袋４を用いる場合には、非接着部１６を有するように液状接着剤９を塗布する必要がある。
【００２４】
このように非接着部１６を備えることにより、密封工程１２を行った後でも、防湿袋４の非接着部１６をハサミ等で開封して乾燥植物２が取り付けられた乾燥植物保持部材１１を入れ替えることができる。
なお、このように乾燥植物２等を入れ替えた場合には、再度密封工程１２及び収納工程１４を行う。
【００２５】
密封工程１２は、図５に示すように、前記開口部３から乾燥植物保持部材１１に固定された乾燥植物２を防湿袋４内に挿入し、窓５から乾燥植物２が視認できるように配置し、開口部３を密封する工程である。
【００２６】
本実施形態では乾燥植物２として押し花２を用いているが、乾燥植物２としては押し花に限らず、立体的な形状を保ったまま乾燥した植物や、このような押し花や立体的な形状を保ったまま乾燥した植物にシリコンオイル等のオイルを含浸させたものを乾燥植物２として用いてもよい。
【００２７】
ここで乾燥植物保持部材１１は、図６に示すように、本実施形態では紙製の台紙１１を用いており、この台紙１１の表面に乾燥植物２が接着剤等によって保持されている。なお、接着剤等を用いず、乾燥植物２を着脱可能に保持できるクリップやテープのような物を用いて台紙に乾燥植物２を保持してもよい。
【００２８】
台紙１１の裏面には、乾燥剤１７及び脱酸素剤１８が固定されており、台紙１１と共に防湿袋４の内部に挿入される。乾燥剤１７と脱酸素剤１８は、いずれか一方のみを用いてもよいし、本実施形態のように両方用いることもでき、どちらも用いなくてもよい。
【００２９】
また、本実施形態では、開口部３を密封する前に、ポンプによって防湿袋４の内部の空気を脱気し、真空状態に近い状態にした上で開口部３を密封する。このように空気を脱気することで、乾燥植物２及び台紙１１の位置がずれて窓５から乾燥植物２が視認できなくなることを防止できる。
【００３０】
密封方法としては、本実施形態では開口部３付近をアイロン等で熱し、アルミ蒸着シートの樹脂を溶着させて密封する。なお、密封する際に、脱気するためにごく一部だけ未溶着部を残し、この未溶着部からストローやチューブ等の管状の部材を用いて内部の空気を脱気し、その後に未溶着部をすばやく溶着することが望ましい。
この他にも、開口部３を接着剤等で密封する、開口部３にチャック等を設け、このチャックで密封する等の方法を用いてもよい。
【００３１】
なお、本実施形態では、密封部分付近をハサミ等で開封し、防湿袋４の内部に収納される乾燥植物２を入れ替えることができるように、上下方向に長尺となるように防湿袋４を形成しているが、例えば、チャックのように密封部分付近を切除して開封する必要がない密封方法を用いる場合には、乾燥植物保持部材１１がぴったり収納できるような形状の防湿袋４を用いてもよい。
【００３２】
収納工程１４では、防湿袋収納具１３に防湿袋４及び透明部材８を収納する工程である。本実施形態においては、防湿袋収納具１３として額縁１３を用いている。乾燥植物飾りは、主に観賞用として飾られるため、額縁１３は、乾燥植物２と共に鑑賞されるため装飾がされている額縁等を用いることが望ましいが、特に額縁に限定されるものではなく、防湿袋４を収納でき乾燥植物２を外部から鑑賞できるようなものであれば、どのような物を用いてもよい。
【００３３】
乾燥植物２等を収納した防湿袋４を収納する場合には、本実施形態においては防湿袋４の下部を、台紙１１と略同形状になるように折り曲げた後、額縁１３内へ収納する。防湿袋４と透明部材８をそのまま額縁１３に収納してもよいが、乾燥植物２と台紙１１が外側から見え、かつ、防湿袋４等が外側から見えないように、本実施形態のように、透孔を備えた方形状で薄板の保護パッド１９を最前面に配置し、その裏側に防湿袋４及び透明部材８を配置して収納することが望ましい。
【００３４】
このように保護パッド１９、透明部材８及び防湿袋４を配置したら、額縁１３の裏板２０を最背面に配置し、額縁１３の背面に設けられた複数個の爪（図示せず）によってこれらを固定する。なお、防湿袋４と裏板２０の間に緩衝材等を配置してもよい。
【００３５】
乾燥植物飾り２５は、本実施形態においては図８に示すように、一端部に開口部３を有し、一側面に乾燥植物２を視認できる窓５を備え、かつ、前記開口部３が密封された防湿袋４と、前記窓５の外側部分に環状にシート状接着部材６を備えるとともに、該シート状接着部材６の外周縁部を基準として外側に液状接着剤が環状に塗布され、前記シート状接着部材６及び液状接着剤９により前記防湿袋４と接着された透明部材８と、乾燥植物保持部材１１に保持され、前記窓５から視認できるように前記防湿袋４内に配置された乾燥植物２と、該乾燥植物２が配置された防湿袋４を収納する防湿袋収納具（額縁）１３とで構成される。
なお、防湿袋収納具１３を備えない状態で乾燥植物飾り２５としてもよい。
【００３６】
［発明を実施するための異なる形態］
次に、図９乃至図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３７】
図９乃至図１２に示す本発明を実施するための第２の形態において、前記本発明を実施するための第１の形態と主に異なる点は、乾燥植物保持部材１１Ａとして上面が開口する箱状の容器１１Ａを用い、この乾燥植物保持部材１１Ａの内部に乾燥植物２を固定し、この乾燥植物保持部材１１Ａ及び乾燥植物２を防湿袋４内に配置し、密封する密封工程１２Ａを行った点で、このような乾燥植物飾りの製造方法１Ａ及び乾燥植物飾り２５Ａにしても、前記本発明を実施するための第１の形態と同様な作用効果が得られるとともに、立体感のある乾燥植物２を用いた乾燥植物飾りを製造することができる。
【００３８】
前記乾燥植物保持部材（箱状の容器）１１Ａは、一側面（上面）が開口する箱状の容器本体２１と、該容器本体２１の内側底面に取り付けられた化粧紙２２と、容器本体２１の内側底面と化粧紙２２の間に配置された乾燥剤１７及び脱酸素剤１８とで構成されている。乾燥植物２はこの容器本体２１の内側底面に設けられた化粧紙２２に接着剤等によって固定されている。
【００３９】
なお、乾燥剤１７及び脱酸素剤１８を容器内部に収納しない場合には、化粧紙２２を用いずに容器本体２１の内側底面に直接乾燥植物２を固定してもよい。
このように乾燥植物保持部材１１Ａに固定した乾燥植物２は、開口部３から防湿袋４に挿入され、窓から乾燥植物２が視認できるように配置し、防湿袋４内の余分な空気を押し出すようにして空気を抜き、防湿袋４の開口部３を密封する。この時、本実施形態ではポンプ等を用いての脱気せずに密封しているが、防湿袋４内をポンプ等を用いて脱気してもよい。
【００４０】
このような密封工程１２Ａを行った後、防湿袋４を乾燥植物保持部材１１Ａに密着するように折りたたみ、防湿袋収納具１３内へ収納する収納工程１４を行う。本実施形態のように立体的な容器を乾燥植物保持部材１１Ａとして用いる場合には、このような容器を収納可能な厚さのある額縁等を用いるとよく、乾燥植物保持部材１１Ａがずれないように、額縁内に緩衝材等の位置決め部材を防湿袋４と共に収納するとよい。
なお、本発明の実施形態では、額縁等の収納工程を行うものについて説明したが、収納工程は必ずしも行わなくてもよい。
また、マーキング工程についても必ずしも行わなくてもよい。
【産業上の利用可能性】
【００４１】
本発明は乾燥植物飾りを製造する産業で利用される。
【符号の説明】
【００４２】
１、１Ａ：乾燥植物飾りの製造方法、
２：乾燥植物、                  ３：開口部、
４：防湿袋、                    ５：窓、
６：シート状接着部材、          ７：窓形成工程、
８：透明部材、                  ９：液状接着剤、
１０：接着工程、                １１、１１Ａ：乾燥植物保持部材、
１２、１２Ａ：密封工程、        １３：防湿袋収納具、
１４：収納工程、                １５：マーキング、
１６：非接着部、                １７：乾燥剤、
１８：脱酸素剤、                １９：保護パッド、
２０：裏板、                    ２１：容器本体、
２２：化粧紙、                  ２３：マーキング工程、
２４：シート状接着部材固定工程、  
２５、２５Ａ：乾燥植物飾り。
【図１】
2018167482.tif 000003
【図２】
2018167482.tif 000004
【図３】
2018167482.tif 000005
【図４】
2018167482.tif 000006
【図５】
2018167482.tif 000007
【図６】
2018167482.tif 000008
【図７】
2018167482.tif 000009
【図８】
2018167482.tif 000010
【図９】
2018167482.tif 000011
【図１０】
2018167482.tif 000012
【図１１】
2018167482.tif 000013
【図１２】
2018167482.tif 000014